(57)【要約】【課題】ＰＣＳ等の構成や制御形態の複雑化を抑えつつ電力供給システムの構成要素や負荷の総合的な制御が可能になるとともに、大電力を要求する負荷への適切な電力供給が容易となる配電装置を提供する。【解決手段】直流の入力電力を交流に変換して電力系統側へ出力するＰＣＳ、および、充放電可能である蓄電池とともに電力供給システムを形成し、前記ＰＣＳおよび前記蓄電池に接続されるとともに、直流負荷に接続され、前記ＰＣＳから前記直流負荷への配電、前記ＰＣＳから前記蓄電池への配電、および前記蓄電池から前記ＰＣＳを介さずに前記直流負荷への配電を行う配電装置であって、システム関連要素の全部または一部を制御する総合制御部を備える配電装置とする。【選択図】図２
2013219881.tif 000002
【特許請求の範囲】
【請求項１】
直流の入力電力を交流に変換して電力系統側へ出力するＰＣＳ、および、充放電可能である蓄電池とともに電力供給システムを形成し、
前記ＰＣＳおよび前記蓄電池に接続されるとともに、直流負荷に接続され、
前記ＰＣＳから前記直流負荷への配電、前記ＰＣＳから前記蓄電池への配電、および前記蓄電池から前記ＰＣＳを介さずに前記直流負荷への配電を行う配電装置であって、
システム関連要素の全部または一部を制御する総合制御部を備えることを特徴とする配電装置。
【請求項２】
前記総合制御部は、
前記蓄電池の電圧および電流の少なくとも一方の情報を取得し、
前記ＰＣＳを制御することを特徴とする請求項１に記載の配電装置。
【請求項３】
前記ＰＣＳから前記直流負荷および前記蓄電池への配電には、
前記ＰＣＳにおいて交流に変換される前の直流電力が用いられることを特徴とする請求項２に記載の配電装置。
【請求項４】
前記ＰＣＳは前記入力電力をＤＣ／ＤＣコンバータおよびＤＣ／ＡＣインバータを順に介して電力系統側へ出力するものである、請求項３に記載の配電装置であって、
前記ＰＣＳ、前記蓄電池、および前記直流負荷に接続される接続ラインを備え、
前記接続ラインは、
前記ＤＣ／ＤＣコンバータと前記ＤＣ／ＡＣインバータの間に接続されることにより、前記ＰＣＳに接続されることを特徴とする配電装置。
【請求項５】
前記ＰＣＳ、前記蓄電池、および前記蓄電池を充電する充電器を含む各構成要素とともに、前記電力供給システムを形成する請求項１から請求項４の何れかに記載の配電装置であって、
前記総合制御部は、
前記ＰＣＳおよび前記充電器を制御することを特徴とする配電装置。
【請求項６】
前記ＰＣＳは前記入力電力として太陽電池の発電電力が入力されるものである、請求項１から請求項５の何れかに記載の配電装置であって、
前記総合制御部は、
天候または日射量の予測情報を受信することを特徴とする配電装置。
【請求項７】
前記総合制御部は、
ＥＭＳ機器との通信機能を備えることを特徴とする請求項１から請求項６の何れかに記載の配電装置。
【請求項８】
請求項１から請求項７の何れかに記載の配電装置、前記ＰＣＳ、および前記蓄電池を備えることを特徴とする電力供給システム。
【請求項９】
請求項５に記載の配電装置、前記ＰＣＳ、前記蓄電池、および、前記充電器を備えることを特徴とする電力供給システム。
【請求項１０】
請求項６に記載の配電装置、前記ＰＣＳ、前記蓄電池、および、前記ＰＣＳに発電電力を出力する太陽電池を備えることを特徴とする電力供給システム。
【発明の詳細な説明】
【技術分野】
【０００１】
本発明は、配電の機能を有する配電装置、およびこれを有する電力供給システムに関する。
【背景技術】
【０００２】
従来、ＰＣＳ（パワーコンディショナ）を有する電力供給システムが提案されている。このような電力供給システムについて、ＰＣＳに太陽電池と蓄電池が接続されたものを例に挙げ、以下に簡潔に説明する。
【０００３】
図７は、当該電力供給システム１０１およびその周辺の構成図である。本図に示すように電力供給システム１０１は、ＰＣＳ１１３に太陽電池１１２と蓄電池１１４が接続された構成となっている。またＰＣＳ１１３には、分電盤１０２を介して、電力系統１０３および負荷１０４が接続される。
【０００４】
ＰＣＳ１１３は、電力の変換や分配等を行うものであり、電力供給システム１０１を適切に機能させるための中核的な役割を果たす。例えばＰＣＳ１１３は、太陽電池１１２の発電電力を蓄電池１１４側に分配する動作、太陽電池１１２の発電電力を交流に変換して分電盤１０２側に分配する動作、および蓄電池１１４の放電電力を交流に変換して分電盤１０２側に出力する動作を行う。
【先行技術文献】
【特許文献】
【０００５】
【特許文献１】特開平１０−２４８１８０号公報
【発明の概要】
【発明が解決しようとする課題】
【０００６】
ＰＣＳは、先述したような動作が適切に行われるよう複雑な構成となっており、その制御形態も複雑である。電力供給システムの構成要素や負荷を総合的に制御する機能をＰＣＳに設けるようにすると、ＰＣＳの構成や制御形態はより一層複雑となり、ＰＣＳの設計や開発等は難しくなる。
【０００７】
また一般家庭のように低圧受電の場合には、電力系統からの受電電力が制限される。このような場合、大電力を要求する負荷（例えば、電気自動車の急速充電時の負荷）が接続されても、電力系統を用いて負荷へ適切に大電力を供給することは困難である。
【０００８】
また蓄電池を用いて負荷へ大電力を供給する場合であっても、蓄電池からＰＣＳを介して負荷へ大電力が供給される形態になっていると、ＰＣＳの容量を大きくしておく（大電力に耐え得る仕様としておく）必要がある。そのため、例えばＰＣＳの改造や交換が必要となり、大電力を要求する負荷への適切な電力供給が容易に行えないこともある。
【０００９】
本発明は上述した問題に鑑み、ＰＣＳ等の構成や制御形態の複雑化を抑えつつ電力供給システムの構成要素や負荷の総合的な制御が可能になるとともに、大電力を要求する負荷への適切な電力供給が容易となる配電装置の提供を目的とする。また本発明は、当該配電装置を用いた電力供給システムの提供を目的とする。
【課題を解決するための手段】
【００１０】
上記目的を達成するため本発明に係る配電装置は、直流の入力電力を交流に変換して電力系統側へ出力するＰＣＳ、および、充放電可能である蓄電池とともに電力供給システムを形成し、前記ＰＣＳおよび前記蓄電池に接続されるとともに、直流負荷に接続され、前記ＰＣＳから前記直流負荷への配電、前記ＰＣＳから前記蓄電池への配電、および前記蓄電池から前記ＰＣＳを介さずに前記直流負荷への配電を行う配電装置であって、システム関連要素の全部または一部を制御する総合制御部を備える構成とする。
【００１１】
本構成によれば、ＰＣＳ等の構成や制御形態の複雑化を抑えつつ電力供給システムの構成要素や負荷の総合的な制御が可能になるとともに、大電力を要求する負荷への適切な電力供給が容易となる。なお「システム関連要素」は、電力供給システムの各構成要素（例えばＰＣＳ、蓄電池、充電器など）、および電力供給システムに接続されて電力が供給される各負荷を指す。
【００１２】
また上記構成としてより具体的には、前記総合制御部は、前記蓄電池の電圧および電流の少なくとも一方の情報を取得し、前記ＰＣＳを制御する構成としてもよい。
【００１３】
また上記構成としてより具体的には、前記ＰＣＳから前記直流負荷および前記蓄電池への配電には、前記ＰＣＳにおいて交流に変換される前の直流電力が用いられる構成としてもよい。また前記ＰＣＳは前記入力電力をＤＣ／ＤＣコンバータおよびＤＣ／ＡＣインバータを順に介して電力系統側へ出力するものである場合において、上記構成は、前記ＰＣＳ、前記蓄電池、および前記直流負荷に接続される接続ラインを備え、前記接続ラインは、前記ＤＣ／ＤＣコンバータと前記ＤＣ／ＡＣインバータの間に接続されることにより、前記ＰＣＳに接続される構成としてもよい。
【００１４】
また前記ＰＣＳ、前記蓄電池、および前記蓄電池を充電する充電器を含む各構成要素とともに、前記電力供給システムを形成する場合において、上記構成としてより具体的には、前記総合制御部は、前記ＰＣＳおよび前記充電器を制御する構成としてもよい。
【００１５】
また前記ＰＣＳは前記入力電力として太陽電池の発電電力が入力されるものである場合において、上記構成としてより具体的には、前記総合制御部は、天候または日射量の予測情報を受信する構成としてもよい。また上記構成としてより具体的には、前記総合制御部は、ＥＭＳ機器との通信機能を備える構成としてもよい。
【００１６】
また本発明に係る電力供給システムは、上記構成の配電装置、前記ＰＣＳ、および前記蓄電池を備える構成とする。また当該電力供給システムは、更に前記充電器を備える構成であってもよく、前記ＰＣＳに発電電力を出力する太陽電池を備える構成であってもよい。
【発明の効果】
【００１７】
本発明に係る配電装置によれば、ＰＣＳ等の構成や制御形態の複雑化を抑えつつ電力供給システムの構成要素や負荷の総合的な制御が可能になるとともに、大電力を要求する負荷への適切な電力供給が容易となる。また本発明に係る電力供給システムによれば、本発明に係る配電装置の利点を享受することができる。
【図面の簡単な説明】
【００１８】
【図１】第１実施形態の電力供給システムおよびその周辺の構成図である。
【図２】多機能配電盤の配電に関する説明図である。
【図３】第１実施形態の電力供給システムおよびその周辺の別の構成図である。
【図４】第２実施形態の電力供給システムおよびその周辺の構成図である。
【図５】蓄電池の充電電力の供給に関する説明図である。
【図６】第３実施形態の電力供給システムおよびその周辺の構成図である。
【図７】従来例の電力供給システムおよびその周辺の構成図である。
【発明を実施するための形態】
【００１９】
本発明の実施形態について、第１実施形態から第３実施形態の各々を例に挙げて、以下に説明する。
【００２０】
１．第１実施形態
まず第１実施形態について説明する。図１は、第１実施形態に係る電力供給システム１およびその周辺の構成図である。なお図１（後述する図２〜図６も同様）における各配線のうち、実線で示すものは電力線であり、破線で示すものは通信線である。また「電力供給システム」は、負荷等へ電力を供給するシステムであり、一連の構成要素の全体または一部により形成される。電力供給システム１は、一般家庭等の需要家に設置され得る。
【００２１】
図１に示すように電力供給システム１は、その構成要素として、多機能配電盤１１、太陽電池１２、ＰＣＳ１３、および蓄電池１４を有している。またＰＣＳ１３には、分電盤２を介して電力系統３および負荷４が接続されており、多機能配電盤１１には、直流負荷５（直流電力を消費する負荷）が接続される。
【００２２】
多機能配電盤１１は、接続ライン１１ａおよび総合制御部１１ｂを備えている。接続ライン１１ａは、ＰＣＳ１３、蓄電池１４、および直流負荷５が接続されるラインであり、これらを繋ぐことにより、ＰＣＳ１３から直流負荷５への配電（図２に点線矢印Ｓ１で示す流れの配電）、ＰＣＳ１３から蓄電池１４への配電（図２に点線矢印Ｓ２で示す流れの配電）、および蓄電池１４から直流負荷５への配電（図２に点線矢印Ｓ３で示す流れの配電）が行われるようにする。なお蓄電池１４から直流負荷５への配電は、図２から明らかであるように、ＰＣＳ１３を介さずに行われる。
【００２３】
ＰＣＳ１３から直流負荷５への配電によれば、主に、太陽電池１２の発電電力を用いた直流負荷５への電力供給が実現される。またＰＣＳ１３から蓄電池１４への配電によれば、主に、太陽電池１２の発電電力を用いた蓄電池１４の充電が実現される。また蓄電池１４から直流負荷５への配電によれば、主に、蓄電池１４の放電電力を用いた直流負荷５への電力供給が実現される。なお、ＰＣＳ１３から直流負荷５への配電とＰＣＳ１３から蓄電池１４への配電が並行して行われる場合や、ＰＣＳ１３から直流負荷５への配電と蓄電池１４から直流負荷５への配電が並行して行われる場合もあり得る。
【００２４】
総合制御部１１ｂは、ＰＣＳ１３、負荷４、直流負荷５、およびＥＭＳ［Energy Management System］機器６等との通信を行うことが可能であり、電力供給システム１の構成要素および電力供給システム１に接続される負荷等を総合的に制御する。なおＥＭＳ機器６は、需要家におけるエネルギー使用の管理や最適化を行う機器であり、このエネルギー使用には、電力供給システム１の電力供給によるものも含まれる。総合制御部１１ｂの機能の詳細については、改めて説明する。
【００２５】
また、ＥＭＳ機器６と負荷４および直流負荷５との間を通信線で結んでおき、総合制御部１１ｂと負荷４または直流負荷５との間の通信（例えば、総合制御部１１ｂに対する負荷４または直流負荷５の状態を表す情報の伝送や、負荷４や直流負荷５に対する各種制御命令の伝送など）は、ＥＭＳ機器６を介して行われるようにしても良い。この場合には図３に示すように、総合制御部１１ｂは負荷４や直流負荷５に直接結ばれている必要はなく、ＥＭＳ機器６を介してこれらに結ばれているだけで良い。またＥＭＳ機器６は、負荷４や直流負荷５等の制御（操作）を行うようになっていても良い。
【００２６】
なお多機能配電盤１１には、例えば総合制御部１１ｂの指示に応じて接続ライン１１ａの導通状態を切替えるスイッチが設けられていても良い。当該スイッチの一例としては、ＰＣＳ１３と蓄電池１４と直流負荷５を互いに導通させる状態、ＰＣＳ１３と蓄電池１４の間だけを導通させる（これらと直流負荷５の間は遮断される）状態、ＰＣＳ１３と直流負荷５の間だけを導通させる（これらと蓄電池１４の間は遮断される）状態、および蓄電池１４と直流負荷５の間だけを導通させる（これらとＰＣＳ１３の間は遮断される）状態の間で、接続ライン１１ａの導通状態を切替えるものが挙げられる。
【００２７】
太陽電池１２は、ＰＶアレイ、接続箱、および集電箱などを有し、太陽光を受けて発電した発電電力（直流電力）をＰＣＳ１３へ出力する。
【００２８】
ＰＣＳ１３は、コンバータ部１３ａ、インバータ部１３ｂ、およびコントローラ部１３ｃを備えている。コンバータ部１３ａはＤＣ／ＤＣコンバータであり、太陽電池１２側から受ける直流電力を、例えば電圧の異なる直流電力に変換して出力する。
【００２９】
インバータ部１３ｂはＤＣ／ＡＣインバータであり、コンバータ部１３ａの出力する直流電力を交流に変換して出力する。インバータ部１３ｂが出力する交流電力は、分電盤２を介して電力系統３或いは負荷４に供給される。このようにＰＣＳ１３は、太陽電池１２からの入力電力をＤＣ／ＤＣコンバータおよびＤＣ／ＡＣインバータを順に介して電力系統３側へ出力する。
【００３０】
なおインバータ部１３ｂは、双方向のインバータ（コンバータ部１３ａから分電盤２の方向へは直流−交流変換を行い、分電盤２からコンバータ部１３ａの方向へは交流−直流変換を行うもの）であっても良い。またコントローラ部１３ｃは、コンバータ部１３ａおよびインバータ部１３ｂの動作を制御する。
【００３１】
またＰＣＳ１３は、コンバータ部１３ａとインバータ部１３ｂの間が接続ライン１１ａへ接続されることにより、多機能配電盤１１に接続されている。これにより、太陽電池１２の発電電力がＰＣＳ１３から蓄電池１４或いは直流負荷５へ配電される際には、ＰＣＳ１３において交流に変換される前の発電電力（直流電力）が用いられる。このように太陽電池１２と蓄電池１４或いは直流負荷５との間は、ＰＣＳ１３を介した直流接続がなされている。
【００３２】
蓄電池１４は、充放電可能に形成されており、多機能配電盤１１側から受け取る直流電力を用いた充電や、多機能配電盤１１側への放電（直流電力の出力）を行う。
【００３３】
［総合制御部の機能］
次に、多機能配電盤１１が有する総合制御部１１ｂの機能について、より詳細に説明する。
【００３４】
総合制御部１１ｂは、例えば蓄電池１４が接続されている接続ライン１１ａを監視し、蓄電池１４における現在の電圧および電流の少なくとも一方の情報（ＢＡＴ情報）を取得することが可能である。ＢＡＴ情報によれば、蓄電池１４の現在の充電量などを求めることが可能である。なお蓄電池１４の充電量の算出に際しては、ＢＡＴ情報に加えて、温度等の情報が用いられるようにしても良い。
【００３５】
また総合制御部１１ｂは、ＰＣＳ１３（主にコントローラ部１３ｃ）との通信により、ＰＣＳ１３の監視および制御を行うことが可能である。例えば総合制御部１１ｂは、コンバータ部１３ａおよびインバータ部１３ｂにおける電力変換動作の監視、および当該動作の制御を行うことが可能である。
【００３６】
また総合制御部１１ｂは、負荷４および直流負荷５との通信により、これらの負荷の監視および制御を行うことが可能である。例えば総合制御部１１ｂは、これらの負荷の大きさの監視、およびこれらの負荷の大きさの制御を行うことが可能である。なお総合制御部１１ｂは、負荷４や直流負荷５の監視または制御を直接行うようになっていても良く、ＥＭＳ機器６を介して間接的に行うようになっていても良い。例えば、ＥＭＳ機器６が負荷４や直流負荷５の監視情報を取り纏めるようにしておき、総合制御部１１ｂがこの取り纏められた情報を受け取るようになっていても良い。
【００３７】
また総合制御部１１ｂは、ＥＭＳ機器６との通信により、エネルギー使用に関する情報のやり取りを行うことが可能である。これにより、総合制御部１１ｂはＥＭＳ機器６から得られる情報を用いた制御が可能となり、また、ＥＭＳ機器６は総合制御部１１ｂから得られる情報を用いて、需要家におけるエネルギー使用の管理や最適化をより適切に行うことが可能となる。
【００３８】
なお、ＥＭＳ機器６が負荷等の制御（操作）を行うようにする場合、総合制御部１１ｂとＥＭＳ機器６が協調して動作するようにしても良い。例えばＥＭＳ機器６が負荷４の制御を行うようにする場合、総合制御部１１ｂは、電力供給システム１の全体の状況を考慮してＥＭＳ機器６に負荷４の制御依頼を出し、ＥＭＳ機器６に負荷４の制御を任せるようにする。これにより、総合制御部１１ｂが行う制御とＥＭＳ機器６が行う制御の競合による不具合を、回避させることが容易となる。
【００３９】
また総合制御部１１ｂは、外部の通信機器から、制御を行うために参照される参照情報を受信することが可能である。例えば総合制御部１１ｂは、参照情報としての気象情報（天候または日射量の予測情報など）を提供する通信機器から、気象情報を受信することが可能である。気象情報によれば、今後（例えば今日や明日）における太陽電池１２の発電量を予測することが可能となる。
【００４０】
総合制御部１１ｂは、上述した通り各種の通信、監視、および制御が可能となっており、そのときの状況に応じて各部を適切に制御する。
【００４１】
例えば総合制御部１１ｂは、ＢＡＴ情報に基づいて蓄電池１４の充電量が減っていることを検出した場合には、ＰＣＳ１３側から蓄電池１４へ充電電力が供給されるように、ＰＣＳ１３を制御する。また例えば総合制御部１１ｂは、参照情報に基づいて太陽電池１２の発電電力が減少すると見込まれる場合には、蓄電池１４の充電量を温存するため、直流負荷５への電力供給が主にＰＣＳ１３側からなされるように、ＰＣＳ１３を制御する。また例えば総合制御部１１ｂは、直流負荷５が要求する電力の大きさ（負荷の大きさ）に応じて、ＰＣＳ１３側から直流負荷５への電力供給が適量となるように、ＰＣＳ１３を制御する。なおこれらは一例であって、総合制御部１１ｂによる制御の具体的形態は特に限定されない。
【００４２】
［本実施形態における利点等］
本実施形態では、電力供給システム１の構成要素および電力供給システム１に接続される負荷等が総合的に制御される。そのため、高効率かつ柔軟な制御が可能となり、電力供給システム１の全体で効率が向上するように、様々な運用方法が可能となる。
【００４３】
またこのような制御動作の主体である総合制御部１１ｂは、比較的構造が簡単な多機能配電盤１１に設けられ、ＰＣＳ１３やＥＭＳ機器６に設けられるようにはなっていない。そのため、ＰＣＳ１３等の構成や制御形態の複雑化を抑えつつ、電力供給システム１の構成要素および電力供給システム１に接続される負荷等の総合的な制御が可能である。一般的なＰＣＳであっても、ハードウェアに大きな仕様変更を施すことなく、多機能配電盤１１との通信機能等を改良するだけで、本実施形態に係るＰＣＳ１３に準じた機能を発揮し得る。
【００４４】
また総合制御部１１ｂを有する多機能配電盤１１は、ＰＣＳ１３やＥＭＳ機器６等とは分かれているため、保守や管理の複雑化が極力抑えられている。また総合制御部１１ｂに異常が生じたような場合であっても、ＰＣＳ１３やＥＭＳ機器６などの他の機器についてはとりあえず総合制御部１１ｂから独立して動作するようにし、電力供給システム１の運用等に出来るだけ支障を来さないようにすることが可能である。
【００４５】
なお総合制御に対応したＰＣＳやＥＭＳを用いながら現時点では総合制御のシステムが導入されていない場合であっても、本実施形態に係る多機能配電盤を採用することにより、総合制御のシステムを新たに構築することが容易となる。
【００４６】
また先述したように、太陽電池１２の発電電力がＰＣＳ１３から蓄電池１４或いは直流負荷５へ配電される際には、ＰＣＳ１３において交流に変換される前の発電電力（直流電力）が用いられるようになっている。そのため電力の変換ロスが減り、蓄電池１４の充放電の効率等が良好となっている。
【００４７】
２．第２実施形態
次に第２実施形態について説明する。なお以下の説明では、第１実施形態と異なる部分の説明に重点をおき、第１実施形態と共通する部分については説明を省略することがある。
【００４８】
図４は、第２実施形態に係る電力供給システム１およびその周辺の構成図である。図４に示すように電力供給システム１は、その構成要素として、多機能配電盤１１、太陽電池１２、ＰＣＳ１３、および蓄電池１４に加え、充電器１５を有している。
【００４９】
充電器１５は、入力側が電力系統３に接続され、出力側が蓄電池１４（蓄電池１４と多機能配電盤１１の間）に接続されている。充電器１５は、総合制御部１１ｂから充電指示を受けたときに、系統電力を直流に変換して蓄電池１４を充電するように形成されている。なお充電器１５は、他の構成要素と別個に設けられる必要はなく、例えば、ＰＣＳ１３の内部に設けられていても良い。またＰＣＳ１３内のインバータ部１３ｂを双方向のインバータとし、蓄電池１４を充電するように形成しても良い。この場合には、インバータ部１３ｂを充電器１５として見ることが出来る。
【００５０】
充電器１５を備えることにより電力供給システム１は、太陽電池１２の発電電力を用いるだけでなく、系統電力を用いて蓄電池１４を充電することも可能である。そして蓄電池１４の充電に系統電力が用いられるようにするか否かは、多機能配電盤１１の総合制御部１１ｂによって制御可能である。
【００５１】
総合制御部１１ｂは、蓄電池１４の充電が行われるようにする際、その時の状況に応じて、蓄電池１４の充電に系統電力が用いられるようにするか否かを決定する。例えば天気の良い日中のように太陽電池１２の発電電力が十分に得られる状況では、総合制御部１１ｂは、系統電力が用いられずに、太陽電池１２の発電電力を用いて蓄電池１４が充電されるようにする。
【００５２】
すなわち総合制御部１１ｂは、充電器１５に充電指示を出さず、ＰＣＳ１３を適切に制御することにより、図５に点線矢印Ｆ１で示す経路を通って蓄電池１４に充電電力が供給されるようにする。なお当該経路は、太陽電池１２からＰＣＳ１３（コンバータ部１３ａ）および多機能配電盤１１（接続ライン１１ａ）を介して蓄電池１４に至る経路である。
【００５３】
一方、例えば夜間、或いは曇天時のように太陽電池１２の発電電力が十分に得られない状況では、総合制御部１１ｂは、系統電力を用いて蓄電池１４が充電されるようにする。すなわち総合制御部１１ｂは、充電器１５に充電指示を出し、図５に点線矢印Ｆ２で示す経路を通って蓄電池１４に充電電力が供給されるようにする。なお経路Ｆ２は、電力系統３から充電器１５を介して蓄電池１４に至る経路である。
【００５４】
なお本実施形態では蓄電池１４の充電の制御形態に関し、上述した形態を含め様々な形態を採用することが可能である。例えば電気料金の安い深夜の時間帯に、系統電力を用いた蓄電池１４の充電が行われるようにすることが可能である。そして更に昼間の時間帯では、深夜のうちに蓄電池１４に充電しておいた電力を負荷への電力供給に用いるようにし、太陽電池１２の発電電力を少しでも多く電力系統３へ逆潮流させて売電することが可能である。
【００５５】
また太陽電池１２の発電電力を電力系統３へ逆潮流させない運用を行う場合、蓄電池１４が満充電となり、太陽電池１２の発電電力を抑制しなければならない状況が発生し得る。しかしこの場合であっても、総合制御部１１ｂは、例えば参照情報に基づいて今後の太陽電池１２の発電量や負荷消費量を予測し、系統電力を用いる蓄電池の充電を最低限に抑えて、太陽電池１２の発電電力が出来るだけ抑制されないようにすることが可能である。
【００５６】
３．第３実施形態
次に第３実施形態について説明する。なお以下の説明では、第２実施形態と異なる部分の説明に重点をおき、第２実施形態と共通する部分については説明を省略することがある。また第３実施形態の電力供給システム１に接続される直流負荷５は、電力系統３では適切な供給ができない程度の大電力を要求する負荷であるとする。例えば直流負荷５は電気自動車（ＥＶ）であり、急速充電時にこのような大電力を要求する。
【００５７】
電力供給システム１においては、大電力を要求する直流負荷５への適切な電力供給を可能とするため、蓄電池１４から接続ライン１１ａを介して直流負荷５に至る部分（図６に着色で示す部分Ｐ）の仕様が、大電力に耐え得る仕様とされている。
【００５８】
そして総合制御部１１ｂは、直流負荷５が大電力を要求する際には、蓄電池１４に大電力を放電させ、この放電電力が部分Ｐを通って直流負荷５へ供給されるようにする。これにより、直流負荷５への適切な電力供給が達成される。なおこの際、蓄電池１４の放電電力に加えて太陽電池１２の発電電力が、直流負荷５へ供給されるようにしても良い。
【００５９】
本実施形態の電力供給システム１によれば、直流負荷５への大電力の供給は、蓄電池１４（或いは蓄電池１４と太陽電池１２）からなされるようになっており、電力系統３に依存しない。そのため電力系統３の種類に関わらず、直流負荷５へ大電力を適切に供給することが容易である。
【００６０】
例えば一般家庭やコンビニエンスストア等に多く見られるように低圧受電契約がなされている場合、電力系統３から大電力を適切に供給することは困難である。しかし電力システム１によれば、受電契約の内容に関わらず、大電力を適切に供給することは容易である。
【００６１】
なお大電力の供給は、電力系統３から全く受電せずに行われるようにすることも可能であり、電力系統３から受電しつつ行われるようにすることも可能である。電力供給システム１によれば、電力系統３から受電しつつ大電力の供給が行われる場合であっても、電力系統３からの受電量を大きく減らすことができ、電力系統３に及ぼす悪影響を低減させることが可能である。
【００６２】
また蓄電池をＰＣＳに直結してＰＣＳから大電力が出力されるようにする場合は、ＰＣＳの容量が大きくなっている必要があり、容量が小さい場合にはＰＣＳの改造や交換が必要となる。しかし電力供給システム１によれば、大電力の供給が主に部分Ｐの経路で（ＰＣＳ１３を介さずに）行われるようにすることが可能であり、こうすることでＰＣＳ１３の容量を大きくする必要はなく、ＰＣＳの改造や交換は不要である。
【００６３】
なお、一般的にＰＣＳの容量は太陽電池の容量に基づいて決められるが、蓄電池をＰＣＳに直結してＰＣＳから大電力が出力されるようにする場合は、蓄電池の容量やどの程度の大電力を出力するかをも考慮してＰＣＳの容量を決める必要があるため、多種のＰＣＳを準備する必要がある。しかし電力供給システム１によれば、大電力の供給が主に部分Ｐの経路で（ＰＣＳ１３を介さずに）行われるようにすることが可能であり、こうすることでＰＣＳの容量を決める際に蓄電池の容量等を考慮する必要はなく、多種のＰＣＳを準備する必要もない。
【００６４】
また電力供給システム１によれば、大電力の供給が主に部分Ｐの経路で行われるようにする場合、基本的には部分Ｐが大電力に耐え得るようになっていれば良い。そのため、電力供給システム１が大電力の供給に耐えられない場合であっても、部分Ｐ（多機能配電盤１１やその周辺）を大電力に耐え得るよう改造するだけで、大電力の供給を可能とすることできる。
【００６５】
また電力供給システム１において、主に太陽電池１２の出力が大電力の供給に用いられるようにすることも可能である。この場合には、大電流を放電することによって蓄電池１４の放電容量が低下したり、蓄電池１４の寿命が短くなったりすることを、出来るだけ防ぐことが可能となる。
【００６６】
４．その他
上述した通り各実施形態の多機能配電盤１１は、直流の入力電力（太陽電池１２の発電電力）を交流に変換して電力系統３側へ出力するＰＣＳ１３、および、充放電可能である蓄電池１４を含む各構成要素とともに、電力供給システム１を形成する。
【００６７】
また多機能配電盤１１は、ＰＣＳ１３および蓄電池１４に接続されるとともに、直流負荷５に接続され、ＰＣＳ１３から直流負荷５への配電、ＰＣＳ１３から蓄電池１４への配電、および蓄電池１４からＰＣＳ１３を介さずに直流負荷５への配電を行う。また多機能配電盤１１は、システム関連要素（太陽電池１２、ＰＣＳ１３、蓄電池１４、充電器１５、負荷４、および直流負荷５など）の全部または一部を制御する総合制御部１１ｂを備えている。
【００６８】
そのため多機能配電盤１１によれば、ＰＣＳ１３の構成や制御形態の複雑化を抑えつつ電力供給システム１の構成要素または負荷の総合的な制御が可能になるとともに、大電力を要求する負荷への適切な電力供給が容易となる。なお、システム関連要素のうちの何れを総合制御部１１ｂの制御対象とするかについては、上記実施形態での態様に限られることなく、様々な態様とすることが可能である。
【００６９】
また本発明の構成は、上記実施形態のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００７０】
本発明は、ＰＣＳを有する電力供給システム等に利用することができる。
【符号の説明】
【００７１】
１      電力供給システム
１１    多機能配電盤（配電装置）
１１ａ  接続ライン
１１ｂ  総合制御部
１２    太陽電池
１３    ＰＣＳ
１３ａ  コンバータ部
１３ｂ  インバータ部
１３ｃ  コントローラ部
１４    蓄電池
１５    充電器
２      分電盤
３      電力系統
４      負荷
５      直流負荷
６      ＥＭＳ機器
【図１】
2013219881.tif 000003
【図２】
2013219881.tif 000004
【図３】
2013219881.tif 000005
【図４】
2013219881.tif 000006
【図５】
2013219881.tif 000007
【図６】
2013219881.tif 000008
【図７】
2013219881.tif 000009